(57)【要約】【課題】スイッチボタンの誤操作を防止すると同時にバッテリを消耗しないスイッチホールド構造を提供すること。【解決手段】筐体１内に軸支したカバー部材２を、収納部１ｂを介して挿通可能に設け、筐体１の表面に係止するまでカバー部材２を回動して、カバー部材２でスイッチボタン１１を被装して誤操作を防止する保護カバーとする。そして、カバー部材２を収納部１ｂ方向へ回動して収納部１ｂに収めることにより、そのスイッチボタン１１の操作が行えるようにする。【選択図】図１
2007172970.tif 000002
【特許請求の範囲】
【請求項１】
電子機器の筐体の表面にスイッチボタンが配設された電子機器におけるスイッチホールド構造であって、
前記筐体に設けられ、前記スイッチボタンの周囲近傍を凹設または切欠させて形成された収納部と、
該収納部に収納可能に、かつ、前記スイッチボタンの直上方向に回動可能に前記収納部に軸支されると共に、該スイッチボタンが被装されるように前記筐体の表面に当接させて係止可能なカバー部材と
を備えてなることを特徴とする電子機器におけるスイッチホールド構造。
【請求項２】
前記収納部は、前記スイッチボタンを取り囲むように正面視略コ字状に形成されると共に、
前記カバー部材は、前記収納部に沿うように略コ字状に、かつ、正面視略コ字状の該収納部の両先端部より前方の前記筐体表面に当接可能に側面視略逆L字状に形成されていることを特徴とする請求項１記載の電子機器におけるスイッチホールド構造。
【請求項３】
前記カバー部材は、被装させた前記スイッチボタンを視認可能なように透明または半透明の部材で構成されていることを特徴とする請求項１または２記載の電子機器におけるスイッチホールド構造。
【請求項４】
前記スイッチボタンのスイッチングに基づいて前記カバー部材を照明させるLEDが設けられていることを特徴とする請求項４に記載の電子機器におけるスイッチ構造。
【請求項５】
電子機器の筐体表面にスイッチボタンを配設した電子機器におけるスイッチホールド方法であって、
前記スイッチボタンの周囲近傍の前記筐体一部を凹設または切欠してなる収納部を介して、回動可能かつ挿通可能に設けたカバー部材を、前記スイッチボタンを被装するように該筐体の表面に当接して係止することを特徴とする電子機器におけるスイッチホールド方法。
【発明の詳細な説明】
【技術分野】
【０００１】
本発明は、電子機器の筐体表面に配設されたスイッチボタンの誤操作を防止するスイッチホールド構造及びスイッチホールド方法に関する。
【背景技術】
【０００２】
従来より、電子機器の筐体表面に配設されたスイッチボタンの誤操作を防止する技術手段が提案されている。
【０００３】
例えば、ＣＤプレーヤの前面にスライドボタンを設け、そのスライドボタンをオンの位置にスライドすることで、停止ボタン、再生ボタン、サーチボタン等の各ボタンが押されても、これらの操作ボタンが機能しないように電気的な制御によって実現している（例えば特許文献１参照）。
【特許文献１】特開平５−２６６６４５号公報（第３頁、図４）
【発明の開示】
【発明が解決しようとする課題】
【０００４】
上記した従来技術は、例えばバックの中にＣＤプレーヤを仕舞い込んで持ち運びしても、スライドボタン自体は誤操作されないことを前提にしているわけであるが、しかしながら、実際には、何かの拍子にオフの位置になってしまうケースがあった。その結果、各ボタンが機能してしまい、各スイッチボタンの誤操作を確実に防止することはできなかった。
【０００５】
また、電気的な制御によって各ボタンの誤操作を防止するために待機電力が必要であるが、ＣＤプレーヤやMDプレーヤ等のポータブルミュージックプレーヤ、デジタルカメラ、携帯電話等の持ち運びを前提とした電子機器においては、バッテリの消耗に直接結びついていた。
【０００６】
そこで本発明は、このような状況に鑑みてなされたものであり、上記問題を解決できるスイッチホールド構造及びスイッチホールド方法を提供することを目的とする。
【課題を解決するための手段】
【０００７】
上記技術課題を達成するために、本発明にかかるスイッチホールド構造及びスイッチホールド方法は、下記の技術的手段を講じた。
すなわち、請求項１にかかるスイッチホールド構造は、電子機器の筐体の表面にスイッチボタンが配設された電子機器におけるスイッチホールド構造であって、前記筐体に設けられ、前記スイッチボタンの周囲近傍を凹設または切欠させて形成された収納部と、該収納部に収納可能に、かつ、前記スイッチボタンの直上方向に回動可能に前記収納部に軸支されると共に、該スイッチボタンが被装されるように前記筐体の表面に当接させて係止可能なカバー部材とを備えてなることを特徴とする。
請求項２にかかるスイッチホールド構造は、請求項１において、前記収納部は、前記スイッチボタンを取り囲むように正面視略コ字状に形成されると共に、前記カバー部材は、前記収納部に沿うように略コ字状に、かつ、正面視略コ字状の該収納部の両先端部より前方の前記筐体表面に当接可能に側面視略逆L字状に形成されていることを特徴とする。
請求項３にかかるスイッチホールド構造は、請求項１または２において、前記カバー部材は、被装させた前記スイッチボタンを視認可能なように透明または半透明の部材で構成されていることを特徴とする。
請求項４にかかるスイッチホールド構造は、請求項１〜３の何れかにおいて、前記スイッチボタンのスイッチングに基づいて前記カバー部材を照明させるLEDが設けられていることを特徴とする。
請求項５にかかるスイッチホールド方法は、スイッチホールド構造は、電子機器の筐体表面にスイッチボタンを配設した電子機器におけるスイッチホールド方法であって、前記スイッチボタンの周囲近傍の前記筐体一部を凹設または切欠してなる収納部を介して、回動可能かつ挿通可能に設けたカバー部材を、前記スイッチボタンを被装するように該筐体の表面に当接して係止することを特徴とする。
【発明の効果】
【０００８】
本発明によれば、筐体内に軸支したカバー部材を、収納部を介して挿通可能に設け、筐体の表面に係止するまでカバー部材を回動して、カバー部材でスイッチボタンを被装するから、スイッチボタンの押動操作が規制されてスイッチボタンの誤操作を確実に防止することができる。
【発明を実施するための最良の形態】
【０００９】
次に、本発明を実施するための最良の形態を、図面を参照して具体的に説明する。
【００１０】
本実施の形態にかかるスイッチホールド構造は、音楽コンテンツが記録されるHDDや半導体メモリ等の記録媒体を備えたミュージックプレイヤーや、携帯電話、デジタルカメラ、リモートコントローラ等の持ち運び可能な小型の電子機器に適用されるのに好適なものが例示されており、筐体１と、カバー部材２とを備えて構成される。
【００１１】
筐体１は、ミュージックプレイヤーや、携帯電話、デジタルカメラ、リモートコントローラ等の電子機器の外装を構成するもので、略直方体状や、略円板状等、これら電子機器のデザインに応じて形設されている。
【００１２】
そして、各機能を実現させるための複数個のスイッチボタン１１が筐体１表面に操作可能なように筐体１に設けた貫通孔１ａから突出するように配設されており、そのスイッチボタン１１の中で任意のスイッチボタン１１に対して、あるいは全てのスイッチボタン１１に対して、図１に示すように、そのスイッチボタン１１を周囲近傍で取り囲むように正面視略コ字状に凹設された収納部１ｂが設けられている。
【００１３】
なお、本実施の形態で例示したスイッチボタン１１は、筐体１内に実装された電子基板Ｐ上に左右前後の四箇所に配設されたタクトスイッチｓ１に、押圧可能な脚部１１ａを有した略円柱状に形成されており、スイッチボタン１１を左右前後に押し分けることで、夫々のタクトスイッチｓ１に割り当てられた機能を実現するようになっている。
【００１４】
この収納部１ｂは、図２〜５に示すように、筐体１の裏面側に略コ字状のリブ１ｃが垂設されており、そのリブ１ｃの厚みを利用して底面を有するように正面視略コ字状に凹設されて形成されている。
【００１５】
本実施の形態では、筐体１内に実装された電子基板Ｐに近接する所要の長さでリブ１ｃを形成したものを図示しているが、リブ１ｃの底を電子基板Ｐに当接させて電子基板Ｐを抑えても良い。
【００１６】
なお、本実施の形態にかかる収納部１ｂは、上記したように、筐体１の裏面側に垂設した略コ字状のリブ１ｃの厚みを利用して底面を有するように正面視略コ字状に凹設して形成されているが、このものに限定されず、筐体１の表裏を貫通する正面視略コ字状に切欠しても良い。この場合、後述するカバー部材２を軸支させるための支持部として帯板状のリブを筐体１裏面から垂設する。また、カバー部材２をシーソー状に揺動させる支点を電子基板Ｐ上に設けたり、あるいは、支点を設けた側面視L字状の部材を筐体１の裏面に設けても良い。
【００１７】
カバー部材２は、図５に示すように、収納部１ｂに沿うように外観形状が略コ字状に形成されると共に側面視略逆L字状に形成された透明または半透明の合成樹脂からなる帯板部材であり、図４に示すように、略コ字状に形成された収納部１ｂを形成させる平行部分の先端より前方の筐体１表面に、略逆L字状に形成された先部底面２ａ（顎部）が当接可能なように、かつ、収納部１ｂに収納可能なように収納部１ｂに軸支される。
【００１８】
すなわち、上記したカバー部材２は、筐体１表面に配設されたスイッチボタン１１の直上に位置させることで、誤操作を防止させる保護カバーとなる。
【００１９】
また、図５に示すように、タクトスイッチｓ１近傍の電子基板Ｐ上に複数個（４つ）の光色の異なるＬＥＤ３が、４つのタクトスイッチｓ１と対応付けて実装されており、スイッチボタン１１のスイッチ操作に基づいて、このＬＥＤ３が発光するようになっている。
【００２０】
このＬＥＤ３の発光により、スイッチングが行われたことを視認可能とすると共に、透明または半透明の合成樹脂で構成されたカバー部材２の形状線が浮き立つように鮮明となることで、意匠的にも極めて好適になっている。
【００２１】
以上のように構成された本実施の形態にかかるスイッチホールド構造は、カバー部材２を、筐体１表面に配設したスイッチボタン１１の直上に位置するように回動することで、そのスイッチボタン１１を覆って誤操作を防止する保護カバーとなる（図１、図７参照）。そして、カバー部材２を収納部１ｂ方向へ回動して収納部１ｂに収めることにより、そのスイッチボタン１１の操作が行えるようにする（図６、図８参照）。そしてこのスイッチ操作を行うと同時にＬＥＤ３が発光してカバー部材２を照らし出す。
【００２２】
このように、本実施の形態にかかるスイッチホールド構造は、筐体１内に軸支したカバー部材２を、収納部１ｂを介して挿通可能に設け、筐体１の表面に係止するまでカバー部材２を回動して、カバー部材２でスイッチボタン１１を被装しているので、スイッチボタン１１の押動操作が規制されてスイッチボタン１１の誤操作を確実に防止することができるようになっている。
【００２３】
また、カバー部材２を回動してスイッチングを行う構成にしたことで、例えば親指などでの操作が心地よく、したがって、娯楽性に富んだスイッチホールド構造を提供できる。
【００２４】
さらに、スイッチングが行われたことをＬＥＤ３の発光により視認できるので利便性が向上すると共に、透明または半透明の合成樹脂で構成されたカバー部材２の形状線が浮き立つように鮮明となることで、意匠的にも極めて好適となる。
【００２５】
なお、本実施の形態にかかるスイッチホールド構造は、カバー部材の開閉状態を維持させるロック機構を特に例示していないが、このロック機構を設けることは任意である。例えば、このロック機構は、カバー部材と電子機器筐体とに夫々係脱可能に凹部と凸部を設けることで可能である。
【００２６】
以上、具体的な実施の形態について説明したが、本発明は上記実施の形態に限定されず、発明の要旨を変更しない範囲で適宜変更して実施できることは言うまでもない。
【００２７】
例えば、スイッチボタンの周囲近傍の筐体一部を凹設または切欠してなる収納部を介して、回動可能かつ挿通可能に設けたカバー部材を、スイッチボタンを被装するように筐体の表面に当接して係止するスイッチホールド方法でも良い。
【図面の簡単な説明】
【００２８】
【図１】本実施の形態にかかるスイッチホールド構造において、カバー部材を筐体表面に配設したスイッチボタンの直上に位置した状態の斜視図である。
【図２】図１のＡ矢視図である。
【図３】図１のＢ矢視図である。
【図４】図１のＣ矢視図である。
【図５】分解斜視図である。
【図６】カバー部材を収納させた状態の斜視図である。
【図７】図１の筐体を省いた状態の斜視図である。
【図８】図６の筐体を省いた状態の斜視図である。
【符号の説明】
【００２９】
１  筐体
１ａ  貫通孔
１ｂ  収納部
１ｃ  リブ
１１  スイッチボタン
１１ａ  脚部
２  カバー部材
２ａ  先部底面
３  LED
ｓ１  タクトスイッチ
Ｐ  電子基板
【図１】
2007172970.tif 000003
【図２】
2007172970.tif 000004
【図３】
2007172970.tif 000005
【図４】
2007172970.tif 000006
【図５】
2007172970.tif 000007
【図６】
2007172970.tif 000008
【図７】
2007172970.tif 000009
【図８】
2007172970.tif 000010